(57)【要約】【課題】  高圧ヒューズを容易に交換できるようにすること。【解決手段】  高圧ヒューズ２４をＶＣＳ４０における盤１０の正面側位置に着脱自在に配置し、ＶＣＳ４０を盤１０から試験／断路位置に引き出し、この位置で高圧ヒューズ２４を交換できるようにした。高圧ヒューズ２４は、高圧ヒューズ用絶縁ケース４１に収納され、この際、電源に接続された第１の接点４３ａと、三相の真空バルブ４４に接続された第２の接点４５ａとに電気的に接続され、これら接続箇所以外が他の導電部分と絶縁されるように絶縁ケース４１に収納される。この収納された高圧ヒューズ２４は、保護カバー４１を盤１０の正面側から開けることにより、従来構成のようにＶＣＳ４０を盤１０の外側に引き出さずとも、交換できるようになっている。【選択図】      図１
2007037285.tif 000002
【特許請求の範囲】
【請求項１】
高圧コンビネーションスタータ盤に収納され、所定以上の電流が流れた際に電路を遮断するための高圧ヒューズを有する高圧真空電磁接触器において、
前記高圧ヒューズを、前記高圧コンビネーションスタータ盤の正面側位置に着脱自在に配置した
ことを特徴とする高圧真空電磁接触器。
【請求項２】
前記高圧ヒューズは、前記高圧コンビネーションスタータ盤の正面側が開口し、この開口に開閉自在な扉状の保護カバーが配設された絶縁ケースに収納され、この収納時に当該絶縁ケースを突き出て電源に接続された導体に繋がる第１の接点と、当該絶縁ケースを突き出て真空バルブに接続された導体に繋がる第２の接点とに両端が電気的に接続され、これら接続箇所以外が他の導電部分と絶縁されるように当該絶縁ケースに収納されている
ことを特徴とする請求項１に記載の高圧真空電磁接触器。
【発明の詳細な説明】
【技術分野】
【０００１】
本発明は、高電圧モータ等を起動するための高圧コンビネーションスタータ盤に収納される高圧真空電磁接触器に関し、特に高圧ヒューズの配置構造を工夫した高圧真空電磁接触器に関する。
【背景技術】
【０００２】
図２は従来の高圧真空電磁接触器（ＶＣＳ）の構成を示し、（ａ）は高圧コンビネーションスタータ盤内に収納されたＶＣＳの側面図、（ｂ）はＶＣＳの正面図である。なお、（ａ）の右側がＶＣＳの正面である。
高圧コンビネーションスタータ盤（単に、盤とも略す）１０は、縦型の直方体形状を成し、内部に接地金属を兼ねる２枚の仕切り板１１が水平に配設されてユニット室に区切られている。このうち上段と中段のユニット室にＶＣＳ１２が、車輪１３を介して前後に移動可能に収納されている。
【０００３】
ＶＣＳ１２は、概略直方体形のフレームであるクレードル２１を有し、この中に、電磁開閉接点である真空バルブが収納された真空バルブ用絶縁ケース（単に、絶縁ケースとも略す）２２と、操作電源トランス２３とが配置され、これら上部に高圧ヒューズ２４が配置され、これらの要素２２，２３，２４が導体を介して電気的に接続されている。この電気経路には、破線矢印Ｙ１で示すように図示せぬ電源電圧からの電流ｉが、高圧ヒューズ２４、絶縁ケース２２内の真空バルブの順に流れるようになっている。
【０００４】
高圧ヒューズ２４は、真空バルブの開閉で対応しきれない程の大きな短絡電流が流れた場合に電流経路を遮断するものである。
また、ＶＣＳ１２の正面保護カバー２５には、両側に把手２６とインターロックレバー２７が設けられている。その把手２６を矢印Ｙ２で示す前後方向に人が把持してＶＣＳ１２を移動することが可能となっている。
【０００５】
ＶＣＳ１２の試験を行う場合、インターロックレバー２７でインターロックを解除した後、矢印Ｙ２で示す右側の引き出し方向に試験／断路位置Ｐ１まで引き出す。
また、高圧ヒューズ２４を交換する場合は、その試験／断路位置Ｐ１から更に矢印Ｙ２の右方向に引き出し、ＶＣＳ１２を盤１０の外側に引き出してから行う。これは高圧ヒューズ２４がＶＣＳ１２の内部上方に配置されているので、少なくとも高圧ヒューズ２４の保護カバーを開けることが可能な位置までＶＣＳ１２を盤１０から引き出す必要性による。
【０００６】
この種の従来の高圧真空電磁接触器として、例えば特許文献１及び２に記載のものがあり、これらに代表されるように、従来の高圧真空電磁接触器は上述したように高圧ヒューズが装置上方に配置されている。
【特許文献１】特開昭５８−７９４１０号公報
【特許文献２】特開平５−１９００５９号公報
【発明の開示】
【発明が解決しようとする課題】
【０００７】
しかし、従来の高圧真空電磁接触器においては、高圧ヒューズ２４を交換する場合、ＶＣＳ１２を盤１０の外側に引き出してから交換しなければならないが、この際、ＶＣＳ１２は人が持てないほど重く、特に多段積収納した場合、盤１０の２段目、３段目等に収納されていると、人力で盤１０の外側に引き出すのは危険が伴う。そこで、リフタ３０を使用し、このリフタ３０の水平把持部にＶＣＳ１２を載置して引き出し、高圧ヒューズ２４を交換する。交換後は逆の手順でＶＣＳ１２を盤１０に収納する。
このようなリフタ３０を用いた手順が必要なので、高圧ヒューズ２４を交換するために手間が掛かるという問題がある。
本発明は、このような課題に鑑みてなされたものであり、高圧ヒューズを容易に交換することができる高圧真空電磁接触器を提供することを目的としている。
【課題を解決するための手段】
【０００８】
上記目的を達成するために、本発明の請求項１による高圧真空電磁接触器は、高圧コンビネーションスタータ盤に収納され、所定以上の電流が流れた際に電路を遮断するための高圧ヒューズを有する高圧真空電磁接触器において、前記高圧ヒューズを、前記高圧コンビネーションスタータ盤の正面側位置に着脱自在に配置したことを特徴とする。
この構成によれば、高圧ヒューズが高圧コンビネーションスタータ盤の正面側位置に配置されているので、高圧ヒューズを交換する際に、高圧真空電磁接触器を盤から通常設定されている試験／断路位置に引き出し、この位置で交換することができる。従来は、リフタに高圧真空電磁接触器を載置して盤から引き出し、高圧真空電磁接触器を床まで下ろしてから高圧ヒューズを交換していた。そして、交換後は逆の手順で高圧真空電磁接触器を盤に収納しなければならなかったので、リフタを用いた手間が掛かる手順を必要としていたが、本発明では、上記のように、盤から引き出さずとも試験／断路位置で交換可能なので、従来に比べ高圧ヒューズを容易に交換することができる。
【０００９】
また、本発明の請求項２による高圧真空電磁接触器は、請求項１において、前記高圧ヒューズは、前記高圧コンビネーションスタータ盤の正面側が開口し、この開口に開閉自在な扉状の保護カバーが配設された絶縁ケースに収納され、この収納時に当該絶縁ケースを突き出て電源に接続された導体に繋がる第１の接点と、当該絶縁ケースを突き出て真空バルブに接続された導体に繋がる第２の接点とに両端が電気的に接続され、これら接続箇所以外が他の導電部分と絶縁されるように当該絶縁ケースに収納されていることを特徴とする。
この構成によれば、高圧ヒューズを、保護カバーを盤正面側から開けることにより容易に交換することができる。
【発明の効果】
【００１０】
以上説明したように本発明の高圧真空電磁接触器によれば、高圧ヒューズを容易に交換することができるという効果がある。
【発明を実施するための最良の形態】
【００１１】
以下、本発明の実施の形態を、図面を参照して説明する。但し、本明細書中の全図において相互に対応する部分には同一符号を付し、重複部分においては後述での説明を適時省略する。
図１は、本発明の実施の形態に係る高圧真空電磁接触器（ＶＣＳ）の構成を示し、（ａ）は高圧コンビネーションスタータ盤内に収納されたＶＣＳの側面図、（ｂ）はＶＣＳの背面図である。
図１に示すＶＣＳ４０が、図２に示した従来のＶＣＳ１２と異なる点は、高圧ヒューズ２４をＶＣＳ４０における盤１０の正面側位置に着脱自在に配置したことにある。但し、本実施の形態では、高圧ヒューズ２４を水平な仕切り板１１に対して垂直状態に配置したが、盤１０の正面側位置であれば、それ以外に、水平や斜めなど自由な状態に配置してもよい。
【００１２】
高圧ヒューズ２４は、箱型の高圧ヒューズ用絶縁ケース（単に、絶縁ケースとも略す）４１に収納されている。絶縁ケース４１は、盤１０の正面側が開口しており、この開口に開閉自在な扉状の保護カバー４２が配設されている。絶縁ケース４１の背面板の上方には図示せぬ電源に接続された導体４３の一部が外面から内面に突出して第１の接点４３ａとして配設され、下方には三相の真空バルブ４４に接続された導体４５が外面から内面に突出して第２の接点４５ａとして配設されている。
【００１３】
高圧ヒューズ２４は、第１及び第２の接点４３ａ，４５ａに一端及び他端が電気的に接続され、これら接続箇所以外が他の導電部分と絶縁されるように絶縁ケース４１に収納されている。この収納された高圧ヒューズ２４は、保護カバー４１を盤１０の正面側から開けることにより、従来構成のようにＶＣＳ４０を盤１０の外側に引き出さずとも、交換できるようになっている。
【００１４】
真空バルブ４４は、当該真空バルブ４４の接点圧力を与える圧接バネ４７と、真空バルブ４４を駆動する駆動軸４８と、圧接バネ４７を介して駆動軸４８をマグネットで駆動する操作部４９とを備えて構成されている。本例では操作部４９は横に配置されているが、スペースがあればどこに配置しても良い。
また、真空バルブ４４に接続された導体５１は、環状の電流センサ５２の中空部分を通って電源に接続されている。
【００１５】
つまり、電源に導体４３を介して高圧ヒューズ２４の一端が接続され、高圧ヒューズ２４の他端が導体４５を介して真空バルブ４４の一端に接続され、真空バルブ４４の他端が電流センサ５２を通る導体５１を介して電源に接続されている。この電気経路には、破線矢印Ｙ３で示すように図示せぬ電源電圧からの電流ｉが、高圧ヒューズ２４、真空バルブ４４の順に流れるようになっている。
【００１６】
このような構成のＶＣＳ４０が高圧コンビネーションスタータ盤１０に収納され、高電圧モータを起動している場合に、上記の電流経路に真空バルブ４４の開閉で対応しきれない大きな短絡電流が流れ、これによって高圧ヒューズ２４が切れたとする。この際、電流経路が遮断されるので高電圧モータは保護されるが、高圧ヒューズ２４を新しいものと交換しなければならない。
【００１７】
この場合、作業者は、ＶＣＳ４０を図２に示したインターロックレバー２７でインターロックを解除した後、把手２６を持って前方の試験／断路位置Ｐ１まで引き出す。そして、保護カバー４２を開けて、切れた高圧ヒューズ２４を取り外し、新しい高圧ヒューズ２４を装着する。そして、把手２６を持ち盤１０内の元の位置に戻す。
【００１８】
以上説明したように本実施の形態の高圧真空電磁接触器４０によれば、高圧ヒューズ２４をＶＣＳ４０における盤１０の正面側位置に着脱自在に配置し、ＶＣＳ４０を盤１０から試験／断路位置Ｐ１に引き出し、この位置で高圧ヒューズ２４を交換できるようにしたので、従来に比べ容易に交換することができる。
従来は、リフタ３０にＶＣＳ１２を載置して引き出し、ＶＣＳ１２を床まで下ろしてから高圧ヒューズ２４を交換し、交換後は逆の手順でＶＣＳ１２を盤１０に収納しなければならなかったので、リフタ３０を用いた手間が掛かる手順を必要としていた。
【図面の簡単な説明】
【００１９】
【図１】本発明の実施の形態に係る高圧真空電磁接触器（ＶＣＳ）の構成を示し、（ａ）は高圧コンビネーションスタータ盤内に収納されたＶＣＳの側面図、（ｂ）はＶＣＳの背面図である。
【図２】従来の高圧真空電磁接触器（ＶＣＳ）の構成を示し、（ａ）は高圧コンビネーションスタータ盤内に収納されたＶＣＳの側面図、（ｂ）はＶＣＳの正面図である。なお、（ａ）の右側がＶＣＳの正面である。
【符号の説明】
【００２０】
１０  高圧コンビネーションスタータ盤
１２，４０  高圧真空電磁接触器（ＶＣＳ）
１３  車輪
２１  クレードル
２２  真空バルブ用絶縁ケース
２３  操作電源トランス
２４  高圧ヒューズ
２５  正面保護カバー
２６  把手
２７  インターロックレバー
４１  高圧ヒューズ用絶縁ケース
４２  保護カバー
４３，４５，５１  導体
４３ａ  第１の接点
４５ａ  第２の接点
４７  圧接バネ
４８  駆動軸
４９  操作部
５２  電流センサ
【図１】
2007037285.tif 000003
【図２】
2007037285.tif 000004